(57)【要約】  【課題】  地上に大掛かりな発射筒などを設置せずに花火を十分な高度に達するまで打ち上げて光らせることができ、かつ打ち上げ後は回収できるとともに回収不能となった場合でも環境破壊を防止できる打ち上げ花火体を提供することにある。  【解決手段】  生分解性のプラスチックで形成された筒状の本体１０を有し、この本体１０には、耐圧容器１２を備え当該耐圧容器１２内に封入した水Ｗを圧縮空気の圧力で噴射可能な噴射部１１と、星と割火薬とを内蔵した玉殻が生分解性のプラスチック製の花火玉２５を収容する花火玉収容部２１と、この花火玉２５を点火するための点火部４１と、花火玉２５の破裂後に外方へ開放されるパラシュート室３１と、このパラシュート室３１内に収容され風圧で開くパラシュート３５と、が設けられた構成とする。【選択図】      図１
2006300402.tif 000002
【特許請求の範囲】
【請求項１】
生分解性のプラスチックで形成された本体を有し、この本体には、耐圧容器を備え当該耐圧容器内に封入した水を圧縮ガスの圧力で噴射可能な噴射部と、星と割火薬とを内蔵した玉殻が生分解性のプラスチック製の花火玉を収容する花火玉収容部と、この花火玉を点火するための点火部と、花火の破裂後に外方へ開放されるパラシュート室と、このパラシュート室内に収容され風圧で開くパラシュートと、が設けられていることを特徴とする火工品類。
【請求項２】
生分解性のプラスチックで形成された本体を有し、この本体には、発射用火薬を収容しかつ当該発射用火薬の発火によって発生する爆風を噴射可能な噴射部と、星と割火薬とを内蔵した玉殻が生分解性のプラスチック製の花火玉を収容する花火玉収容部と、この花火玉を点火するための点火部と、花火の破裂後に外方へ開放されるパラシュート室と、このパラシュート室内に収容され風圧で開くパラシュートと、が設けられていることを特徴とする火工品類。
【発明の詳細な説明】
【技術分野】
【０００１】
本発明は、玩具花火、打ち上げ花火、山や海で使う救難信号や鳥獣を威嚇するための花火等の火工品類に関する。
【背景技術】
【０００２】
火工品類の一つである打上花火は、打ち上げ筒を大地に固定して、この打ち上げ筒に発射薬、花火の順に装填し、発射薬に点火して花火玉を空中に打ち上げる。そして打ち上げられた花火 玉の割薬が空中で破裂して花火玉 の中の星が光りながら飛び散り、花火として観賞されるようになっている（例えば、特許文献１参照）。
【特許文献１】特開平１０−４７８９４号公報
【発明の開示】
【発明が解決しようとする課題】
【０００３】
ところで、上記した特許文献１に係わる打ち上げ花火では、花火玉を高く打ち上げるには、地上に大掛かりな発射筒などを設置しなければならず、その準備に手間取る。
【０００４】
また、特許文献１に係わる打ち上げ花火では、打ち上げられた花火玉は破裂後にバラバラになって地上に落ちてくるが、これを総て回収するのは困難であり、これをそのまま放置したのでは環境破壊の原因となる。
【０００５】
本発明の目的は、地上に大掛かりな発射筒などを設置せずに花火を十分な高度に達するまで打ち上げて光らせることができ、かつ打ち上げ後は回収できるとともに回収不能となった場合でも環境破壊を防止できる火工品類を提供することを目的とする。
【課題を解決するための手段】
【０００６】
請求項１の発明は、生分解性のプラスチックで形成された本体を有し、この本体には、耐圧容器を備え当該耐圧容器内に封入した水を圧縮空気の圧力で噴射可能な噴射部と、星と割火薬とを内蔵した玉殻が生分解性のプラスチック製の花火玉を収容する花火玉収容部と、この花火玉を点火するための点火部と、花火の破裂後に外方へ開放されるパラシュート室と、このパラシュート室内に収容され風圧で開くパラシュートと、が設けられていることを特徴とする火工品類である。
【０００７】
上記した構成の発明の場合、例えば、打ち上げには高圧の水の噴射流が使用されるので、従来のような打ち上げ筒を使用しない。打ち上げ場所を任意に選定できる。また、高圧の水の噴射流で本体を十分な高度に達するまで打ち上げて、当該本体の花火玉収容部の花火玉を破裂させて光や音を発生させることができる。なお、花火玉を破裂させるときまでに、高圧水は噴射を止めているので花火玉の破裂には支障は生じない。
【０００８】
また、打ち上げ後は、本体をパラシュートでゆっくりと地上に降ろすので回収も簡単である。仮に回収できなかった場合でも、本体および花火玉の玉殻は生分解性のプラスチック製とされているので、そのまま放置しても最後には分解されて自然にかえる。
【０００９】
請求項２の発明は、生分解性のプラスチックで形成された本体を有し、この本体には、発射用火薬を収容しかつ当該発射用火薬の発火によって発生する爆風を噴射可能な噴射部と、星と割火薬とを内蔵した玉殻が生分解性のプラスチック製の花火玉を収容する花火玉収容部と、この花火玉を点火するための点火部と、花火の破裂後に外方へ開放されるパラシュート室と、このパラシュート室内に収容され風圧で開くパラシュートと、が設けられていることを特徴とする火工品類である。
【００１０】
上記した構成の発明の場合、本体に備え付けられた噴射部から噴射された発射用火薬の爆風によって打ち上げられるので、従来のような打ち上げ筒を使用しない。したがって、地上に大掛かりな発射筒などを設置する必要はない。打ち上げ場所を任意に選定できる。そして、発射用火薬の爆風力によってせずに本体を十分な高度に達するまで打ち上げることができる。そして、花火玉を破裂させて光や音を発生させることができる。また、打ち上げ後は、本体をパラシュートでゆっくりと地上に降ろすので回収も簡単である。仮に回収できなかった場合でも、本体および花火玉の玉殻は生分解性のプラスチック製とされているので、そのまま放置しても最後には分解されて自然にかえる。
【発明の効果】
【００１１】
請求項１の発明によれば、打ち上げには高圧の水の噴射流を使用するので、地上に大掛かりな発射筒などを設置せずに花火を十分な高度に達するまで打ち上げて光や音を発生できる。打ち上げ場所を任意に選定できる。なお、花火玉を破裂させるときまでに、高圧水は噴射を止めているので花火玉の破裂には支障は生じない。
【００１２】
また、打ち上げ後は、本体をパラシュートでゆっくりと地上に降ろすので回収も簡単である。仮に回収できなかった場合でも、本体および花火玉の玉殻は生分解性のプラスチック製とされているので、そのまま放置しても最後には分解されて自然にかえる。したがって、環境を破壊することはない。
【００１３】
請求項２の発明は、本体の噴射部から噴射された発射用火薬の爆風によって打ち上げられるので、地上に大掛かりな発射筒などを設置する必要はない。打ち上げ場所を任意に選定できる。そして、発射用火薬の爆風力によってせずに本体を十分な高度に達するまで打ち上げることができる。そして、花火玉を破裂させて光や音を発生させることができる。また、打ち上げ後は、本体をパラシュートでゆっくりと地上に降ろすので回収も簡単である。仮に回収できなかった場合でも、本体および花火玉の玉殻は生分解性のプラスチック製とされているので、そのまま放置しても最後には分解されて自然にかえる。したがって、環境を破壊することはない。
【発明を実施するための最良の形態】
【００１４】
以下、本発明の実施の形態を図面に基づき説明する。
【００１５】
本発明に係る火工品類である打ち上げ花火１は、図１に示すように、生分解性のプラスチックで形成された筒状の本体１０を有し、この本体１０には、耐圧容器１２を備え当該耐圧容器１２内に封入した水Ｗを圧縮空気の圧力で噴射可能な噴射部１１と、星と割火薬とを内蔵した玉殻が生分解性のプラスチック製の花火玉２５を収容する花火玉収容部２１と、この花火玉２５を点火するための点火部４１と、花火玉２５の破裂後に外方へ開放されるパラシュート室３１と、このパラシュート室３１内に収容され風圧で開くパラシュート３５と、が設けられた構成とされている。
【００１６】
なお、花火玉収容部２１は、花火玉２５の破裂による内圧上昇で扉２２が外方へ開くものとされている。また、パラシュート室３１は、花火玉収容部２１と一部連通しており、花火玉２５の破裂による爆風で天井板３２が支持３３を中心に開放する方向に所定角度だけ開放される構成とされている。パラシュート３５は、パラシュート室３１に折り畳まれて収容されており、天井板３２が開放されると風圧で開くものとされている。なお、図１中、４１は点火部であり、花火玉２５に電気点火可能に形成されている。図２では、点火部４１は図示を省略する。この実施形態では、外部からの無線信号の点火指示により電気火花を発し、花火玉２５に点火するものと構成されている。
【００１７】
上記した構成の本打ち上げ花火１によれば、打ち上げには高圧の水の噴射流が使用されるので、従来のような打ち上げ筒を使用しない。打ち上げ場所を任意に選定できる。また、高圧の水の噴射流で本体を十分な高度に達するまで打ち上げて、当該本体１０の花火玉収容部２１の花火玉２５を破裂させて光や音を発生させることができる。なお、花火玉２５を破裂させるときまでに、高圧水は噴射を止めているので花火玉２５の破裂には支障は生じない。
【００１８】
また、打ち上げ後は、本体１０をパラシュート３５でゆっくりと地上に降ろすので回収も簡単である。仮に回収できなかった場合でも、本体１０および花火玉２５の玉殻２６は生分解性のプラスチック製とされているので、そのまま放置しても最後には分解されて自然にかえる。以上より、地上に大掛かりな発射筒などを設置せずに花火を十分な高度に達するまで打ち上げて光らせることができ、かつ打ち上げ後は打ち上げ花火１の大部分（本体１０および花火玉２５の玉殻２６）を回収できるとともに、回収不能となった場合でも分解されて自然にかえる。したがって、環境を破壊することはない。
【００１９】
（第２の実施形態）
【００２０】
本発明に係る火工品類である打ち上げ花火１Ａは、図３に示すように、生分解性のプラスチックで形成された本体５０を有し、この本体５０には、発射用火薬５２を収容しかつ当該発射用火薬５２の発火によって発生する爆風を噴射可能な噴射部５１と、星と割火薬とを内蔵した玉殻６６が生分解性のプラスチック製の花火玉６５を収容する花火玉収容部６１と、この花火玉６５を点火するための点火部８１と、花火玉６５の破裂後に外方へ開放されるパラシュート室７１と、このパラシュート室７１内に収容され風圧で開くパラシュート８７５と、が設けられた構成である。
【００２１】
なお、花火玉収容部６１は、花火玉６５の破裂による内圧上昇で扉６２が外方へ開くものとされている。また、パラシュート室７１は、花火玉収容部６１と一部連通しており、花火玉６５の破裂による爆風で天井板７２が支持７３を中心に開放する方向に所定角度だけ開放される構成とされている。パラシュート７５は、パラシュート室７１に折り畳まれて収容されており、天井板７２が開放されると風圧で開くものとされている。なお、図３中、８１は点火部であり、花火玉６５に電気点火可能に形成されている。この実施形態では、外部からの無線信号の点火指示により電気火花を発し、花火玉６５に点火するものと構成されている。また、点火部８１は、噴射部５１に発射用火薬の点火も無線信号により指示するものと構成されている。
【００２２】
上記した構成の本打ち上げ花火１Ａによれば、本体５０の噴射部６１から噴射された発射用火薬５２の爆風によって打ち上げられるので、従来のような打ち上げ筒を使用しない。したがって、地上に大掛かりな発射筒などを設置する必要はない。打ち上げ場所を任意に選定できる。そして、発射用火薬５２の爆風力によってせずに本体５０を十分な高度に達するまで打ち上げることができる。そして、花火玉６５を破裂させて光や音を発生させることができる。また、打ち上げ後は、本体５０をパラシュートでゆっくりと地上に降ろすので回収も簡単である。仮に回収できなかった場合でも、本体５０および花火玉６５の玉殻６６は生分解性のプラスチック製とされているので、そのまま放置しても最後には分解されて自然にかえる。したがって、環境を破壊することはない。
【００２３】
なお、上記した第１，第２の実施形態で、高圧の水の噴射流や火薬による爆風噴射を利用して本体５０を飛行中にその縦軸線を中心として回転させてもよい。これにより、本体５０の飛行姿勢が一段と安定し、到達高度を一層高くすることができる。
【図面の簡単な説明】
【００２４】
【図１】本発明の第１の実施形態に係る打ち上げ花火を説明するための図である。
【図２】本発明に係る打ち上げ花火のパラシュートが開放された状態を示す図である。
【図３】本発明の第２の実施形態を説明するための図である。
【符号の説明】
【００２５】
１  打ち上げ花火
１０  本体
２１  花火玉収容部
２５  花火玉
２６  玉殻
３１  パラシュート室
４１  点火部
【図１】
2006300402.tif 000003
【図２】
2006300402.tif 000004
【図３】
2006300402.tif 000005